(57)【要約】【課題】 血液回路の使用時に、血液回路の血液ポートコネクタから保護キャップを外す作業の負担を軽減する。【解決手段】  血液回路における血液ポートコネクタの保護キャップ１２（２２）は、（ａ）天板部１２ａ（２２ａ）と、（ｂ）天板部の外周部から垂下し血液ポートコネクタの先端からネジ終端までの距離より長い高さを有する筒状部１２ｂ（２２ｂ）と、（ｃ）筒状部の開放端部から内周側へ延びる円周リブ１２ｃ（２２ｃ）と、（ｄ）円周リブと天板部との間の、筒状部の内周面に形成された突起部１２ｄ（２２ｄ）とを備える。そして、突起部１２ｄ（２２ｄ）は、軸方向において、血液ポートコネクタの二条ネジ間の距離より短い幅を有する。【選択図】  図５
2012016472.tif 000002
【特許請求の範囲】
【請求項１】
ダイアライザの血液ポートに接続される血液回路における、二条ネジを有する略円筒形の血液ポートコネクタの保護キャップにおいて、
天板部と、
前記天板部の外周部から垂下し前記血液ポートコネクタの先端からネジ終端までの距離より長い高さを有する筒状部と、
前記筒状部の開放端部から内周側へ延びる円周リブと、
前記円周リブと前記天板部との間の、前記筒状部の内周面に形成された突起部と、
を備え、
前記突起部は、軸方向において、前記血液ポートコネクタの前記二条ネジ間の距離より短い幅を有すること、
を特徴とする血液回路における血液ポートコネクタの保護キャップ。
【請求項２】
前記突起部は、前記円周リブからの第１距離より高く、前記天板部からの第２距離より低い位置に形成されており、
前記第１距離は、前記血液ポートコネクタのネジ終端の、軸方向におけるネジ幅であり、
前記第２距離は、前記血液ポートコネクタの先端からネジ始端までの距離であること、
を特徴とする請求項１記載の血液回路における血液ポートコネクタの保護キャップ。
【請求項３】
前記血液ポートコネクタは塩化ビニル製であり、当該保護キャップはポリプロピレン製であることを特徴とする請求項１または請求項２記載の血液回路における血液ポートコネクタの保護キャップ。
【請求項４】
ダイアライザに接続される血液ポートコネクタを有し、
前記血液ポートコネクタに、請求項１から請求項３のうちのいずれか１項記載の保護キャップが装着されており、蒸気滅菌またはガス滅菌が施されていること、
を特徴とする血液回路。
【発明の詳細な説明】
【技術分野】
【０００１】
本発明は、血液回路における血液ポートコネクタの保護キャップ、およびその血液回路に関するものである。
【背景技術】
【０００２】
血液透析では、ダイアライザに血液回路を接続して、患者の血液を、血液回路を介してダイアライザに循環させる。
【０００３】
このようなダイアライザや血液回路の接続部分には、手指などの接触を避けるために、保護キャップが装着されており（例えば特許文献１参照）、使用直前に保護キャップが取り除かれて、ダイアライザや血液回路が接続される。
【０００４】
図９は、血液回路のうち、ダイアライザの血液ポートに接続される血液ポートコネクタの保護キャップの一例を示す図である。
【０００５】
図９に示すように、血液回路の血液ポートコネクタ１０１に保護キャップ１０２が装着される。血液ポートコネクタ１０１にはオスネジとして二条ネジ１０１ａが形成されており、保護キャップ１０２は、保護キャップ１０２の抜け防止用円周リブ１０２ａでその二条ネジ１０１ａに係止される。上述のような血液回路は、保護キャップ１０２を装着したままで、例えば１１８度で高圧蒸気滅菌されるため、保護キャップ１０２には、血液ポートコネクタ１０１内部（つまり、血液回路内部）への外気の通気性が確保されていることが要求される。このため、保護キャップ１０２の天板部から円周リブ１０２ａまでの高さは、血液ポートコネクタ１０１の先端から二条ネジ１０１ａの終端（下端）までの距離より長くなっており、血液ポートコネクタ１０１と保護キャップ１０２との間の間隙が通気可能となっている。また、天板部内側の一部には図示せぬ突起が設けられており、血液ポートコネクタ１０１の先端が保護キャップ１０２の天板部で全閉されないようになっている。
【０００６】
通常、血液ポートコネクタ１０１は塩化ビニル製であり、保護キャップ１０２はポリプロピレン(PP)製であるため、高圧蒸気滅菌時に高温により多少の収縮があり、両者の収縮度の違いから、保護キャップ１０２が血液ポートコネクタ１０１から外れやすくなる可能性があるため、保護キャップ１０２が高圧蒸気滅菌後においても抜けにくくなるように円周リブ１０２ａのサイズが決定される。円周リブ１０２ａの開口径は、高圧蒸気滅菌後において、ネジ１０２ａの最外周の径より小さくなるように設計される。
【先行技術文献】
【特許文献】
【０００７】
【特許文献１】特開２００８−５５０３０号公報
【発明の概要】
【発明が解決しようとする課題】
【０００８】
血液回路の使用時には、上述の保護キャップ１０２を血液ポートコネクタ１０１から引き抜いてから、血液ポートコネクタ１０１をダイアライザ１に接続する。
【０００９】
このとき、上述のように、保護キャップ１０２には円周リブ１０２ａが形成されているため、保護キャップ１０２は引き抜きにくく、強く力を込めて保護キャップ１０２を引っ張らないと、血液ポートコネクタ１０１から保護キャップ１０２が外れず、看護師の作業負担が大きい。
【００１０】
血液ポートコネクタ１０１は、患者１人分の血液回路につき動脈側と静脈側の２つ存在するため、患者１人につき２箇所の保護キャップ１０２を引き抜く必要がある。また、このような血液回路は使い捨てのため、患者の人数分の血液回路が使用される。このため、例えば、１日に２０人の人工透析を行う場合、１日で４０個の保護キャップ１０２を引き抜く必要があり、看護師の負担が大きい。
【００１１】
本発明は、上記の問題に鑑みてなされたもので、血液回路の使用時に、血液回路の血液ポートコネクタから保護キャップを外す作業の負担を軽減することができる血液回路における血液ポートコネクタの保護キャップ、およびその血液回路を得ることを目的とする。
【課題を解決するための手段】
【００１２】
上記の課題を解決するために、本発明では以下のようにした。
【００１３】
本発明に係る、血液回路における血液ポートコネクタの保護キャップは、（ａ）天板部と、（ｂ）天板部の外周部から垂下し血液ポートコネクタの先端からネジ終端までの距離より長い高さを有する筒状部と、（ｃ）筒状部の開放端部から内周側へ延びる円周リブと、（ｄ）円周リブと天板部との間の、筒状部の内周面に形成された突起部とを備える。そして、突起部は、軸方向において血液ポートコネクタの二条ネジ間の距離より短い幅を有する。
【００１４】
これにより、一方の手で保護キャップを持ち、他方の手で血液ポートコネクタの持手部分（羽状部）を持ち、両者をひねって互いに逆方向に回転させると、突起部が二条ネジに当接し二条ネジに沿って押し上げられ円周リブが血液ポートコネクタのネジに乗り上げるため、簡単な操作で保護キャップを血液ポートコネクタから外すことができる。したがって、血液回路の使用時に、血液回路の血液ポートコネクタから保護キャップを外す作業の負担を軽減することができる。また、突起部が二条ネジで挟まれることがないので、滅菌時の通気性が確保されている。
【００１５】
また、本発明に係る、血液回路における血液ポートコネクタの保護キャップは、上記の血液回路における血液ポートコネクタの保護キャップに加え、次のようにしてもよい。この場合、突起部は、円周リブからの第１距離より高く、天板部からの第２距離より低い位置に形成されており、第１距離は、血液ポートコネクタのネジ終端の、軸方向におけるネジ幅であり、第２距離は、血液ポートコネクタの先端からネジ始端までの距離である。
【００１６】
また、本発明に係る、血液回路における血液ポートコネクタの保護キャップは、上記の血液回路における血液ポートコネクタの保護キャップのいずれかに加え、次のようにしてもよい。この場合、血液ポートコネクタは塩化ビニル製であり、当該保護キャップはポリプロピレン製である。
【００１７】
本発明に係る血液回路は、ダイアライザに接続される血液ポートコネクタを有し、その血液ポートコネクタに、上記の保護キャップのいずれかが装着されており、蒸気滅菌またはガス滅菌が施されている。
【発明の効果】
【００１８】
本発明によれば、血液回路の使用時に、血液回路の血液ポートコネクタから保護キャップを外す作業の負担を軽減することができる、血液回路における血液ポートコネクタの保護キャップを得ることができる。
【図面の簡単な説明】
【００１９】
【図１】図１は、ダイアライザの一例を示す正面図である。
【図２】図２は、図１に示すダイアライザ１の血液ポート２，３の断面図である。
【図３】図３は、図１に示すダイアライザ１の血液ポート２，３に接続される血液回路の一例を示す図である。
【図４】図４は、血液ポートコネクタ１１（２１）を血液ポート２（３）に接続した状態を示す断面図である。
【図５】図５は、本発明の実施の形態１に係る、血液回路における血液ポートコネクタの保護キャップを示す斜視図である。
【図６】図６は、図５に示す保護キャップ１２（２２）の断面図（図６（Ａ））、および血液ポートコネクタ１１（２１）への装着状態を示す図（図６（Ｂ））である。
【図７】図７は、図５および図６に示す保護キャップ１２（２２）の筒状部１２ｂ（２２ｂ）の内周面の展開図である。
【図８】図８は、実施の形態２に係る保護キャップ１２（２２）の筒状部１２ｂ（２２ｂ）の展開図である。
【図９】図９は、血液回路のうち、ダイアライザの血液ポートに接続される血液ポートコネクタの保護キャップの一例を示す図である。
【発明を実施するための形態】
【００２０】
以下、図に基づいて本発明の実施の形態を説明する。
【００２１】
実施の形態１．
【００２２】
まず、ダイアライザの構造について説明する。
【００２３】
図１は、ダイアライザの一例を示す正面図である。ダイアライザ１は、患者の血液を導通させる血液回路を接続するための血液ポート２，３と、透析液を導通させる血液回路を接続するための透析液ポート４，５とを有する。血液ポート２は血液導入側（動脈側）のポートであって、血液ポート３は血液導出側（静脈側）のポートである。透析液ポート４は透析液導入側のポートであって、透析液ポート５は透析液導出側のポートである。
【００２４】
図２は、図１に示すダイアライザ１の血液ポート２，３の断面図である。血液ポート２，３の物理形状は、例えばＩＳＯ５９４−２といった規格で規定されており、血液ポート２，３の外筒部の内周面には、図２に示すような、リード角１５度の二条ネジ２ａ（３ａ）（メスネジ）が形成されている。
【００２５】
次に、ダイアライザ１の血液ポート２，３に接続される血液回路について説明する。
【００２６】
図３は、図１に示すダイアライザ１の血液ポート２，３に接続される血液回路の一例を示す図である。図３（Ａ）は、動脈側の血液ポート２に接続される血液回路の一例を示す図である。図３（Ｂ）は、静脈側の血液ポート３に接続される血液回路の一例を示す図である。
【００２７】
上述のように、ダイアライザ１の血液ポート２，３には、メスネジの二条ネジ２ａ，３ａが形成されている。このため、血液ポート２，３に接続される血液回路の血液ポートコネクタ１１，２１の外周には、二条ネジ２ａ，３ａに螺合可能なように、二条ネジ（オスネジ）が形成されている。
【００２８】
図４は、血液ポートコネクタ１１（２１）を血液ポート２（３）に接続した状態を示す断面図である。ダイアライザ１の二条ネジ２ａ（３ａ）と血液回路の二条ネジとで、図４に示すようにダイアライザ１と血液回路とがネジ結合で接続される。
【００２９】
また、図３に示すように血液回路の血液ポートコネクタ１１，２１には、保護キャップ１２，２２が装着されており、血液回路の使用時まで血液ポートコネクタ１１，２１への手指の接触、ゴミの付着などが防止される。なお、血液ポートコネクタ１１，２１と保護キャップ１２，２２は樹脂製であって、ここでは、血液ポートコネクタ１１，２１は塩化ビニル製であり、保護キャップ１２，２２はポリプロピレン製である。
【００３０】
次に、本発明の実施の形態１に係る、血液回路における血液ポートコネクタ１１，２１の保護キャップ１２，２２について説明する。
【００３１】
図５は、本発明の実施の形態１に係る、血液回路における血液ポートコネクタの保護キャップ１２（２２）を示す斜視図である。図６は、図５に示す保護キャップ１２（２２）の断面図（図６（Ａ））、および血液ポートコネクタ１１（２１）への装着状態を示す図（図６（Ｂ））である。
【００３２】
この保護キャップ１２，２２は、（ａ）ドーナツ状の円板である天板部１２ａ（２２ａ）と、（ｂ）天板部１２ａ（２２ａ）の外周部から垂下し血液ポートコネクタ１１（２１）の先端からネジ終端までの距離ｈ１より長い高さｈ２を有する円筒状の筒状部１２ｂ（２２ｂ）と、（ｃ）筒状部１２ｂ（２２ｂ）の開放端部から内周側へ延びる円周リブ１２ｃ（２２ｃ）と、（ｄ）円周リブ１２ｃ（２２ｃ）と天板部１２ａ（２２ａ）との間の、筒状部１２ｂ（２２ｂ）の内周面に形成された突起部１２ｄ（２２ｄ）とを備える。そして、突起部１２ｄ（２２ｄ）は、軸方向において、血液ポートコネクタ１１（２１）の二条ネジ１１ａ（２１ａ）間の距離ｈ３より短い幅ｈ４を有する。これにより、二条ネジ１１ａ（２１ａ）の２つのネジ山の間隙が突起部１２ｄ（２２ｄ）により閉塞されずに済み、通気性が確保され、この保護キャップ１２（２２）が装着された状態で問題なく蒸気滅菌、ガス滅菌などを行うことができる。
【００３３】
この実施の形態１では、突起部１２ｄ（２２ｄ）は、リード角１５度の二条ネジである。また、天板部１２ａ（２２ａ）内側の面には、放射状に図示せぬ凸条が形成されており、天板部１２ａ（２２ａ）が血液ポートコネクタ１１（２１）の先端に密着して通気性が阻害されるのが防止されている。
【００３４】
また、突起部１２ｄ（２２ｄ）は、円周リブ１２ｃ（２２ｃ）からの第１距離ｈ７より高く、天板部１２ａ（２２ａ）からの第２距離ｈ６より低い位置に形成されており、第１距離ｈ７は、血液ポートコネクタ１１（２１）のネジ終端の、軸方向におけるネジ幅であり、第２距離ｈ５は、血液ポートコネクタ１１（２１）の先端からネジ始端（上端）までの距離である。つまり、円周リブ１２ｃ（２２ｃ）から突起部１２ｄ（２２ｄ）までの距離ｈ８は、第１距離ｈ７より長く、天板部１２ａ（２２ａ）から突起部１２ｄ（２２ｄ）までの距離ｈ６は、第２距離ｈ５より長くなる。
【００３５】
また、天板部１２ａ（２２ａ）から垂下する内筒部１２ｆ（２２ｆ）の径は、血液ポートコネクタ１１（２１）の内径より小さい。また、筒状部１２ｂ（２２ｂ）の外周面には、軸方向に沿って凸条１２ｅ（２２ｅ）が形成されている。
【００３６】
ここで、血液ポートコネクタ１１（２１）からの、保護キャップ１２（２２）の取り外しについて説明する。
【００３７】
図７は、図５および図６に示す保護キャップ１２（２２）の筒状部１２ｂ（２２ｂ）の内周面の展開図である。図７（Ａ）に示すように、リード角θ１５度の二条ネジとして突起部１２ｄ（２２ｄ）が筒状部１２ｂ（２２ｂ）の内周面に形成されている。なお、図６に示す断面図は、図７におけるＡ−Ａ断面図である。
【００３８】
そして、看護師等が一方の手で保護キャップ１２（２２）を持ち、他方の手で血液ポートコネクタ１１（２１）の持手部分（羽状部）を持ち、両者をひねって互いに逆方向に回転させる。この操作により、図７（Ｂ）に示す矢印の方向へ突起部１２ｄ（２２ｄ）が進行していき、突起部１２ｄ（２２ｄ）が二条ネジ１１ａ（２１ａ）に当接し、二条ネジ１１ａ（２１ａ）に沿って進行していく。このとき、突起部１２ｄ（２２ｄ）（ひいては保護キャップ１２（２２）全体）が押し上げられ、円周リブ１２ｃ（２２ｃ）が血液ポートコネクタ１１（２１）のネジ１１ａ（２１ａ）に乗り上げる。
【００３９】
したがって、簡単な操作で保護キャップ１２（２２）を血液ポートコネクタ１１（２１）から外すことができる。
【００４０】
実施の形態２．
【００４１】
本発明の実施の形態２では、突起部１２ｄ（２２ｄ）の形状が、実施の形態１のものから変更されている。
【００４２】
図８は、実施の形態２に係る保護キャップ１２（２２）の筒状部の展開図である。図８（Ａ）は、実施の形態２における突起部１２ｄ（２２ｄ）の第１例を示し、図８（Ｂ）は、実施の形態２における突起部１２ｄ（２２ｄ）の第２例を示している。
【００４３】
図８（Ａ）に示す突起部１２ｄ（２２ｄ）は、点状の突起部であって、図８（Ｂ）に示す突起部１２ｄ（２２ｄ）は、点状の突起部をリード角θに沿って複数個（ここでは３つ）配列させたものである。
【００４４】
なお、上述の各実施の形態は、本発明の好適な例であるが、本発明は、これらに限定されるものではなく、本発明の要旨を逸脱しない範囲において、種々の変形、変更が可能である。
【００４５】
なお、上記保護キャップ１２，２２単体ではなく、上記保護キャップ１２，２２を血液ポートコネクタ１１，２１に装着した状態で蒸気滅菌またはガス滅菌を施した血液回路として流通可能である。
【産業上の利用可能性】
【００４６】
本発明は、例えば、ダイアライザに接続される血液回路における血液ポートコネクタを清潔に保つための保護キャップに適用可能である。
【符号の説明】
【００４７】
１２，２２  保護キャップ
１２ａ，２２ａ  天板部
１２ｂ，２２ｂ  筒状部
１２ｃ，２２ｃ  円周リブ
１２ｄ，２２ｄ    突起部
【図１】
2012016472.tif 000003
【図２】
2012016472.tif 000004
【図３】
2012016472.tif 000005
【図４】
2012016472.tif 000006
【図５】
2012016472.tif 000007
【図６】
2012016472.tif 000008
【図７】
2012016472.tif 000009
【図８】
2012016472.tif 000010
【図９】
2012016472.tif 000011